(57)【要約】【課題】本体部を所定形状に保つ。【解決手段】本体部３１は、金属母材を所定形状に打ち抜いたものを長さ方向に沿って折り曲げることで略角筒状に成形されている。本体部３１において互いに突き合わされる外壁３７の前部３７ａと側壁３４のうち、外壁３７の前部３７ａには、側壁３４の内側に重なる前部保持片５０が突設されている。前部保持片５０が側壁３４に係止することで、外壁３７の前部３７ａが外側に開くのを規制可能となっている。【選択図】　図７
2004063324.tif 000002
【特許請求の範囲】
【請求項１】
基材を長さ方向に沿って折り曲げることで略角筒状に成形される本体部を備えたものであって、
本体部において互いに突き合わせられる一対の壁のうち、一方の壁には、他方の壁に重なる保持片が突設され、この保持片が前記他方の壁に係止することで、前記一方の壁が外側に開くのを規制可能となっていることを特徴とする端子金具。
【請求項２】
前記他方の壁には、前記保持片の外側に重なる押さえ部が設けられ、前記保持片が押さえ部に当接することで、前記一方の壁が外側に開くのを規制可能となっていることを特徴とする請求項１記載の端子金具。
【請求項３】
前記保持片には、被掛止部が設けられ、前記他方の壁には、被掛止部が引っ掛かることで前記一方の壁が外側へ開くのを規制可能な掛止部が設けられていることを特徴とする請求項１または請求項２記載の端子金具。
【請求項４】
前記一方の壁には、当該端子金具をコネクタハウジング内に後方から挿入したときにその内部に備えられた抜け止め部が係止されることで当該端子金具を抜け止め可能となっているものにおいて、
前記他方の壁が、前記保持片に対してその後端側に係止可能となっていることを特徴とする請求項１ないし請求項３のいずれかに記載の端子金具。
【請求項５】
前記一方の壁には、前記抜け止め部が進入するのを許容する切欠部が設けられ、この切欠部の前側の切断端面に対して抜け止め部が係止可能とされ、且つ前記一方の壁が前記切欠部によって前後に分断して形成されているものにおいて、
前記保持片は、前記一方の壁のうち、前記抜け止め部が係止される前部側に設けられていることを特徴とする請求項４記載の端子金具。
【発明の詳細な説明】
【０００１】
【発明の属する技術分野】
本発明は、端子金具に関する。
【０００２】
【従来の技術】
従来、角筒状をなす本体部を備えた端子金具の一例として特開平４−２０９４７１号公報に記載されたものが知られている。このものは、図１１に示すように、前後に細長い底壁１と、底壁１の両側縁から立ち上がる一対の側壁２，３と、図示右側の側壁２の立ち上がり端から突設されるとともに底壁１に対向する天井壁４と、左側の側壁３から突設されるとともに天井壁４の外側に重ね合わされてその突出端を右側の側壁２の立ち上がり端に突き合わせた外壁５とから構成される本体部６を備えている。
【０００３】
【発明が解決しようとする課題】
ところで、外壁５は、左側の側壁３から片持ち状に突出する形態となっている。従って、この外壁５に対して何らかの外力が作用すると、例えば外壁５が外側へ開くようにして変形することがあり、そうなると本体部６を角筒状に保つことができなくなってしまう。
本発明は上記のような事情に基づいて完成されたものであって、本体部を所定形状に保つことを目的とする。
【０００４】
【課題を解決するための手段】
上記の目的を達成するための手段として、請求項１の発明は、基材を長さ方向に沿って折り曲げることで略角筒状に成形される本体部を備えたものであって、本体部において互いに突き合わせられる一対の壁のうち、一方の壁には、他方の壁に重なる保持片が突設され、この保持片が前記他方の壁に係止することで、前記一方の壁が外側に開くのを規制可能となっている構成としたところに特徴を有する。
【０００５】
請求項２の発明は、請求項１に記載のものにおいて、前記他方の壁には、前記保持片の外側に重なる押さえ部が設けられ、前記保持片が押さえ部に当接することで、前記一方の壁が外側に開くのを規制可能となっているところに特徴を有する。
請求項３の発明は、請求項１または請求項２に記載のものにおいて、前記保持片には、被掛止部が設けられ、前記他方の壁には、被掛止部が引っ掛かることで前記一方の壁が外側へ開くのを規制可能な掛止部が設けられているところに特徴を有する。
【０００６】
請求項４の発明は、請求項１ないし請求項３のいずれかに記載のものにおいて、前記一方の壁には、当該端子金具をコネクタハウジング内に後方から挿入したときにその内部に備えられた抜け止め部が係止されることで当該端子金具を抜け止め可能となっているものにおいて、前記他方の壁が、前記保持片に対してその後端側に係止可能となっているところに特徴を有する。
請求項５の発明は、請求項４に記載のものにおいて、前記一方の壁には、前記抜け止め部が進入するのを許容する切欠部が設けられ、この切欠部の前側の切断端面に対して抜け止め部が係止可能とされ、且つ前記一方の壁が前記切欠部によって前後に分断して形成されているものにおいて、前記保持片は、前記一方の壁のうち、前記抜け止め部が係止される前部側に設けられているところに特徴を有する。
【０００７】
【発明の作用及び効果】
＜請求項１の発明＞
本体部に対して何らかの外力が作用した場合でも、保持片が他方の壁に係止することで、一方の壁が外側に開くのを規制することができる。これにより、本体部の形状を略角筒状に保つことができる。
【０００８】
＜請求項２の発明＞
保持片がその外側に重なる押さえ部に当接することで、一方の壁が開き変形するのを規制することができる。
＜請求項３の発明＞
被掛止部が掛止部に引っ掛かることで、一方の壁が開き変形するのを規制することができる。
【０００９】
＜請求項４の発明＞
一方の壁に対してコネクタハウジング内に備えられた抜け止め部が係止された状態で、端子金具に対して後方へ引っ張るような力が作用した場合には、一方の壁には前端側を支点として後端側が捲れるような力が作用するおそれがある。その場合でも、他方の壁が保持片の後端側に係止されるから、一方の壁が捲れるようにして変位するのを有効に規制することができる。これにより、抜け止め部によって端子金具を安定した状態で抜け止め保持することができる。
【００１０】
＜請求項５の発明＞
切欠部内に進入した抜け止め部が切欠部における前側の切断端面に係止されることで端子金具の抜け止めが図られる。切欠部が一方の壁を前後に分断するような範囲に形成されているから、抜け止め部の係止面積を大きく確保することができ、端子金具が小型であっても抜け止め力を十分に得ることができる。
このように一方の壁が切欠部によって前後に分断されたものでは、強度的に不利となるために抜け止め部が係止される前部側が捲れ易くなるものの、前部側に設けた保持片が他方の壁に係止することで、そのような事態を防ぐことができる。つまり、本発明によれば小型化に好適な端子金具を提供することができる。
【００１１】
【発明の実施の形態】
本発明の一実施形態を図１ないし図１０によって説明する。本実施形態では、雌コネクタハウジング１０（以下、単に雌ハウジング１０という）内に挿入可能な雌端子金具３０を示す。この雌端子金具３０は、雌ハウジング１０内に収容された状態で、雌ハウジング１０に対して嵌合される相手の雄ハウジング内に収容された雄端子金具（雄ハウジング共々図示せず）と導通接続可能とされている。なお以下では、雌ハウジング１０に対する雌端子金具３０の挿入方向を前方とし、逆の抜き取り方向を後方とし、また上下方向の記載は図５などを基準として説明する。
【００１２】
雌ハウジング１０は、図１及び図５に示すように、内部には後方から雌端子金具３０を挿入可能なキャビティ１１が上下２段、幅方向に複数室並んで配設されている。キャビティ１１内に挿入される雌端子金具３０は、キャビティ１１の下壁１２から突設されたランス１３により弾性的に抜け止め可能とされるとともに、雌ハウジング１０の前壁１４によって前止まり状態に支持されるようになっている。この雌ハウジング１０の前壁１４には、相手の雄端子金具のタブがキャビティ１１内に前方から進入するのを許容するタブ挿通孔１５が穿設されており、その前側の孔縁には、全周にわたって略擂鉢状をなす誘導面１６が形成されることで、タブの進入動作が円滑に誘導されるようになっている。雌ハウジング１０の前壁１４のうちタブ挿通孔１５よりも下方位置（タブ挿通孔１５とはランス１３の撓み方向にずれた位置）には、雌ハウジング１０の成形時にランス１３を成形する前側の金型を前方へ型抜きするために型抜き孔１７が穿設されている。前壁１４における型抜き孔１７の孔縁上部幅方向中央には、下方へ突き出る略三角形状の突出部１８が設けられ、この突出部１８にも上記誘導面１６が連続して形成されている。
【００１３】
各キャビティ１１の下壁１２は、前側の約１／４部分が一段低く形成されるとともにその段差部分から片持ち状のランス１３が前方へ突出して形成されている。このランス１３は、全体としては前端側にかけて次第に上方、すなわちキャビティ１１内に張り出すよう、前方へ向かって上り勾配をなす傾斜状に形成されており、キャビティ１１内への張出部分が挿入される雌端子金具３０により押圧されることで突出基端（後端）を支点として下方（雌端子金具３０の挿抜方向と交差する方向）へ撓み変形可能とされている。この撓み時にランス１３は、下壁１２の低位部分１２ａとの間に確保された撓み空間内に退避するようになっている。このランス１３の前方に確保された空間内には、雌端子金具３０の係止突部５２が進入可能とされている。ランス１３の下方に対向する下壁１２の低位部分１２ａは、ランス１３がその弾性限度を超えて撓み変形する手前の段階でランス１３の下面に係合することで、その過度撓み変形を規制できるようになっている。またランス１３は、前壁１４に連結された下壁１２の低位部分１２ａにより、全幅にわたって下方のキャビティ１１または下方外部に露出することなく覆われており、もってランス１３の保護が図られている。
【００１４】
キャビティ１１の内周面には、雌端子金具３０の形状に合わせて複数の溝が後方へ開口する形態で形成されている。すなわち、キャビティ１１の下面（下壁１２）のうち幅方向略中央には、図２に示すように、雌端子金具３０の係止突部５２及び突部４９を挿通可能な突部挿通溝１９が形成されており、この突部挿通溝１９の図２の右隣り位置には、雌端子金具３０のスタビライザ４７を挿通可能とされ、且つ突部挿通溝１９よりも深いスタビライザ挿通溝２０が形成されている。さらには、キャビティ１１における図２の右側面には、雌端子金具３０の押さえ部５３（詳細は後述する）を挿通可能な押さえ部挿通溝２１が形成されている。突部挿通溝１９は、ランス１３の前端にまで連続して形成されるのに対し、スタビライザ挿通溝２０は、前端位置がランス１３よりも少し後方に設定されている。押さえ部挿通溝２１は、その前端位置がキャビティ１１の前端よりも少し後側に設定されている。
【００１５】
ランス１３の前端両側部の下側約３／５部分には、図１に示すように、ランス１３を強制的に撓み変形させるための解除治具（図示せず）によって操作可能とされる一対の操作凹部２４が前方に開口して形成されている。両操作凹部２４は、雌端子金具３０がランス１３に係止した状態でも前方外部に露出するように配置されており、前方から型抜き孔１７を通して挿入される解除治具により下方へ押圧操作可能とされている。操作凹部２４は、ランス１３を側方から見て略三角形状に切欠して形成され、その上面がほぼ水平をなすのに対し、下面が後方へ向かって上り勾配をなすテーパ状をなしている。
【００１６】
雌端子金具３０は、金属母材を所定形状に打ち抜いたものに叩き加工や曲げ加工などを施すことで所望の形状に成形されている。この雌端子金具３０は、図４及び図５に示すように、大まかには略角筒状をなす本体部３１と、電線Ｗの端末に圧着接続可能なバレル部３２とを前後に繋げた構成となっている。このうち、バレル部３２は、前後に一対ずつのかしめ片３２ａ，３２ｂを備え、前側の両かしめ片３２ａが電線Ｗの芯線部分Ｗａにかしめ付けられるのに対し、後側の両かしめ片３２ｂが電線Ｗの被覆部分Ｗｂにかしめ付けられるようになっている。
【００１７】
本体部３１は、金属母材を所定形状に打ち抜いたもの（特許請求の範囲に記載した基材に相当する）を長さ方向に沿って折り曲げることで、図３に示すように、略角筒状に成形されている。本体部３１は、前後に延出する底壁３３と、底壁３３の両側縁から立ち上がる一対の側壁３４，３５と、図３の左側の側壁３４の突出端から底壁３３と対向するよう突出する天井壁３６と、図３の右側の側壁３５の突出端から突出するとともに天井壁３６の外側に重ね合わせられる外壁３７とから構成されている。この外壁３７は、その突出端部が側壁３４の下端部に突き合わせられている。
【００１８】
底壁３３は、図３及び図５に示すように、他の壁３４，３５，３６，３７と比較して前端が後方へ引っ込んだ位置に配されており、この前端から弾性接触片３８が突設されている。弾性接触片３８は、底壁３３の前端から前方へ突出する舌片を後方へ向けて折り返すことで、略山形をなす片持ち状に形成されている。この弾性接触片３８は、本体部３１内に前方から挿入される相手の雄端子金具のタブに対して弾性接触可能とされている。また弾性接触片３８に対向する天井壁３６には、タブを弾性接触片３８との間で挟圧状態に保持可能な受け部４３が内側に張り出して設けられている。これら弾性接触片３８と受け部４３との間には、タブを収容可能なタブ収容空間３９が確保されている。また底壁３３には、弾性接触片３８が弾性限度を超えて変形する手前の段階で弾性接触片３８に係合することで、弾性接触片３８の過度撓みを規制可能な過度撓み規制部（図示せず）が内側に叩き出して設けられている。
【００１９】
外壁３７は、図４及び図５に示すように、その長さ方向略中央部分に切欠部４４が全幅にわたって形成されることで、前部３７ａと後部３７ｂとに分断されている。この切欠部４４内には、雌端子金具３０がキャビティ１１内に挿入されると、ランス１３が進入可能とされ、切欠部４４の前側の切断端面４４ａ（前部３７ａの後端面）に対してランス１３が係止可能とされている。ランス１３に対する係止面である切欠部４４における前側の切断端面４４ａは、全域にわたって内側に傾斜して形成されている。この切欠部４４は、外壁３７の半分弱の長さを有するとともに図４の手前側の側壁３５の上端部にまで形成されている。この側壁３５の上端面（切欠部４４における側方の切断端面）には、天井壁３６の突出端から突設された張出片４５が当接されることで、天井壁３６をほぼ水平な姿勢に支持できるようになっている。天井壁３６のうち、受け部４３を有する前半部分には、後半部分よりも僅かに低くなるよう凹部５５が張出片４５における側壁３５との当接部分を含めた全域にわたって形成されており、その分だけランス１３の係止深さを稼ぐことができるようになっている。また外壁３７の前部３７ａは、前後長さが後部３７ｂよりも少し短く設定されている。
【００２０】
外壁３７の後部３７ｂにおける突出端からは、図５に示すように、底壁３３側へ屈曲される後部保持片４６と、その反対側（外方）へ屈曲されるスタビライザ４７とが前後に設けられている。後部保持片４６は、図５の紙面手前側の側壁３４に切欠形成された後部保持溝４８内に嵌合されることで、後部３７ｂが前後に遊動するのを規制した状態に保持できるようになっている。スタビライザ４７は、キャビティ１１内のスタビライザ挿通溝２０内に挿通されることで、雌端子金具３０の挿入動作を案内可能となっている。また後部保持片４６の前端が後部３７ｂの前端と、スタビライザ４７の後端が後部３７ｂの後端と、それぞれ揃えられている。後部３７ｂのうち後端部の幅方向中央には、スタビライザ４７とほぼ同じ長さを有する突部４９が外方へ突出するよう叩き出して形成されている。この突部４９は、雌端子金具３０がキャビティ１１内に挿入されると、キャビティ１１の下面（突部挿通溝１９の上面）に当接可能とされている。
【００２１】
外壁３７の前部３７ａにおける幅方向に沿った後端縁部（切欠部４４の前側の切断端部）の略中央（正確には中央よりも僅かに図２の左側にずれた位置）には、ランス１３が係止可能とされる係止突部５２が外側へ突出するよう叩き出して形成されている。係止突部５２は、図４及び図５に示すように、全体としては前端を頂点とする略角錐状をなすとともに後方へ開口している。この係止突部５２は、前端側にかけて幅寸法及び高さ寸法が減少する先細り状をなすとともに３つの斜面により構成される角錐部５２ａと、幅寸法及び高さ寸法が一定とされるとともに３つの側面により構成される角筒部５２ｂとを前後に繋げた構成となっている。係止突部５２の角錐部５２ａは、先細り状とされ、且つその前端部がやや丸みを帯びた形状に形成されることで、キャビティ１１内に雌端子金具３０が挿入される過程において突部挿通溝１９内での挿通動作を円滑にできるようになっている。係止突部５２の角筒部５２ｂは、切欠部４４の前側の切断端面４４ａの傾斜に沿って後方へオーバーハング状に突出して形成され、外壁３７の前部３７ａよりも後方に突出している。
【００２２】
この係止突部５２は、上記突部４９とほぼ同じ高さ位置まで突出するよう設定され、突部４９と同様にキャビティ１１の突部挿通溝１９内に挿通可能とされている。係止突部５２のうちランス１３に対する係止面である後端面は、切欠部４４の前側の切断端面４４ａにより構成されており、内側に傾斜したテーパ状に形成されている。外壁３７の前部３７ａのうち係止突部５２に対する両側方部分の後端面についても、内側に傾斜したテーパ状をなす切欠部４４の前側の切断端面４４ａにより構成され、ランス１３が係止可能とされている。
【００２３】
さて、外壁３７の前部３７ａにおける突出端部（側壁３４との突き合わせ端部）からは、図５及び図７に示すように、底壁３３側へ屈曲される前部保持片５０が設けられている。これに対して図５の紙面手前側の側壁３４における下端部（外壁３７の前部３７ａとの突き合わせ端部）には、下方及び側方へ開口する前部保持溝５１が切欠形成されており、ここに前部保持片５０が下方から差し込まれている。そして、前部保持溝５１の上側には、差し込まれる前部保持片５０の外側に部分的に重ね合わせられる押さえ部５３が側壁３４の一部を外側に叩き出すことで形成されている。この押さえ部５３は、雌端子金具３０をキャビティ１１内に挿入するときに押さえ部挿通溝２１内に挿通可能とされている。
【００２４】
前部保持片５０は、側壁３４と前後に重なるように前部保持溝５１内に差し込まれている。前部保持片５０は、外壁３７の前部３７ａよりも後方へ突出して形成されており、その根元部分には、上記切欠部４４が拡張して形成され、その切断端面４４ａが既述した通り内側に傾斜して形成されるとともに、ここにランス１３の側端部が係止可能とされている。この前部保持片５０のうち押さえ部５３と重なる領域の略中央位置の外面には、被掛止部５４が内側に凹んで形成されている。この被掛止部５４は、前部保持片５０を部分的に薄肉にするよう叩き加工により形成されており、その上面５４ａが水平方向に沿った真直面とされるのに対し、下面５４ｂが下り勾配をなす傾斜面とされている。また前部保持片５０における突出端部の内縁には、面取りが施されている。
【００２５】
前部保持溝５１は、側壁３４において前部保持片５０よりも後方へ少し長い範囲に形成されている。前部保持溝５１は、前側１／４部分のみが前部保持片５０の突出端よりも高い位置に達するよう部分的に深く形成されており、これにより押さえ部５３の前端側が側壁３４から接離されている。この前部保持溝５１の前面は、上下方向に沿った真直面とされ、ここに前部保持片５０の前面が当接可能とされており、これにより前部保持片５０が前方へ遊動するのを規制できるようになっている。
【００２６】
押さえ部５３は、上端側と図５の左端側とが側壁３４に繋げられており、両繋ぎ部分に隣り合う左上角部分には、成形時に側壁３４から押さえ部５３を叩き出し易くするための角孔５５が穿設されている。なお押さえ部５３における側壁３４との両繋ぎ部分は、側壁３４の板面に対してそれぞれ斜めに形成されている。押さえ部５３は、高さ方向について前部保持片５０の上半分を、前後方向について前部保持片５０の後側３／４部分を覆うような範囲に設けられている。つまり、押さえ部５３によって前部保持片５０のうち突出端寄りの後端部及び後端寄りの突出端部を外側から押さえることができるようになっている。この押さえ部５３における側壁３４からの外方への張り出し寸法が前部保持片５０の厚み寸法分とほぼ同じとなっているとともに、その内側の空間が前部保持溝５１に連続していることで、前部保持片５０を本体部３１内のタブ収容空間３９側に突出させることなく収容できるようになっている。言い換えると、押さえ部５３を外側に張り出して設けることで、前部保持片５０の収容するための空間をタブ収容空間３９の外側に配している。押さえ部５３のうち側壁３４から接離された前面及び下面５３ａは、前部保持溝５１を成形するのに伴う切断端面となっており、このうち下面５３ａが雌端子金具３０をキャビティ１１内に挿入したときに押さえ部挿通溝２１の下面２１ａに当接可能とされている。この押さえ部５３の下面５３ａは、押さえ部挿通溝２１の下面２１ａと平行になるよう水平方向に沿った真直面となっている。
【００２７】
この押さえ部５３の内面には、内側に重ねられる前部保持片５０の外面が当接されており、これにより前部保持片５０及び外壁３７の前部３７ａが外側に開き変形するのを規制できるようになっている。この押さえ部５３には、前部保持片５０の外面に凹設された被掛止部５４内に嵌合可能な掛止部５６が内方へ突出して設けられている。この掛止部５６は、押さえ部５３のうち被掛止部５４と重なる部分を内方へ叩き出すことで形成されており、その上面５６ａが水平方向に沿った真直面とされるとともに、被掛止部５４の上面５４ａに対して引っ掛かるようになっている。これにより、前部保持片５０及び外壁３７の前部３７ａが外側に開き変形するのを規制できるようになっている。掛止部５６の下面５６ｂは、被掛止部５４の下面５４ｂに沿う傾斜面となっている。
【００２８】
なお、雌端子金具３０を成形するにあたっては、先に押さえ部５３を側壁３４から叩き出して形成する一方、外壁３７の前部３７ａから前部保持片５０を折り曲げておき、その後に外壁３７の前部３７ａを側壁３５から折り曲げるとともに、前部保持片５０を前部保持溝５１（押さえ部５３）内に差し込んで、掛止部５６を被掛止部５４内に嵌合させるようにしている。このうち前部保持片５０が前部保持溝５１内に差し込まれる過程では、前部保持片５０の突出端部が掛止部５６の下面５６ｂに摺接されることで、その差し込み動作が円滑に案内されるようになっている。
【００２９】
本実施形態は以上のような構造であり、続いてその作用について説明する。図５及び図６に示すように、雌端子金具３０のバレル部３２に電線Ｗを圧着接続した後に、雌端子金具３０をキャビティ１１内に後方から挿入する。雌端子金具３０をキャビティ１１内に挿入すると、係止突部５２が突部挿通溝１９内に、押さえ部５３が押さえ部挿通溝２１内に順次に挿通される。その後、突部４９が突部挿通溝１９内に、スタビライザ４７がスタビライザ挿通溝２０内にそれぞれ挿通されることで、雌端子金具３０が上下左右にがたつくのが規制されつつ円滑に挿入される。そして、雌端子金具３０が所定深さまで挿入されると、係止突部５２によってランス１３が押圧されて下方へ撓み変形される。この過程では、係止突部５２が前端を頂点とする略角錐状に形成されていることで、突部挿通溝１９内での挿通動作が円滑となり、且つランス１３をスムーズに押圧できるようになっている。
【００３０】
雌端子金具３０がキャビティ１１内に正規深さまで挿入されるのに伴って、係止突部５２がランス１３を乗り越えるとともに、ランス１３は、図８及び図９に示すように、弾性復帰して切欠部４４内に進入しつつ雌端子金具３０に対して弾性的に係止される。この状態では、図１０に示すように、押さえ部５３の下面５３ａが押さえ部挿通溝２１の下面２１ａに当接可能となっている。これにより、例えば電線Ｗに引っ張り力が作用するなどして、雌端子金具３０がその前端側を下方へ変位させつつ傾動しようとしても、その傾動動作を規制することができる。
【００３１】
ここで、ランス１３に対する係止面である切欠部４４の前側の切断端面４４ａは、係止突部５２を含めた外壁３７の前部３７ａ及び前部保持片５０に至るまで、すなわち雌端子金具３０のほぼ全幅領域にわたって形成されているので、雌端子金具３０は、強固な抜け止め力でもってキャビティ１１内から抜け止め状態に保持される（図９）。しかも、切欠部４４の前側の切断端面４４ａは、内側に傾斜したテーパ状に形成されているので、抜け止め力がより強固なものとなっている。
【００３２】
上記のような係止状態から、電線Ｗを介して雌端子金具３０に対して後方へ引っ張るような力が作用する場合がある。その場合、ランス１３が直接に係止する外壁３７の前部３７ａには、全体を前方へ変位させるような力や、前端側を支点として後端側を下方へ捲るような力や、側壁３５に繋げられた側を支点として、突出端側を下方へ捲るような力が作用することになる。このとき、外壁３７の前部３７ａの突出端から設けられた前部保持片５０には、図７の矢線Ｘ方向や図８の矢線Ｙ方向や矢線Ｚ方向へ遊動させようとする力が作用する。ところが、この前部保持片５０は、前部保持溝５１内に差し込まれてその外側に重なる押さえ部５３によって押さ込まれているから、図７の矢線Ｘ方向へ遊動するのが規制される。しかも、前部保持片５０は、掛止部５６の上面５６ａが被掛止部５４の上面５４ａに引っ掛かることで、図７の矢線Ｘ方向や図８の矢線Ｙ方向へ遊動するのが規制される。さらには、前部保持片５０は、その前面が前部保持溝５１の前面に当接することで、図８の矢線Ｚ方向へ遊動するのが規制される。以上のように前部保持片５０が上記各方向への遊動が規制されることにより、外壁３７の前部３７ａが外側へ捲れ（開き）変形するのを規制することができる。
【００３３】
以上説明したように本実施形態によれば、本体部３１に対して何らかの外力が作用した場合でも、前部保持片５０が外壁３７の前部３７ａと突き合わせられる側壁３４に係止することで、外壁３７の前部３７ａが外側に開くのを規制することができる。これにより、本体部３１の形状を略角筒状に保つことができる。
【００３４】
前部保持片５０を側壁３４に係止させるには、前部保持片５０をその外側に重なる押さえ部５３に当接させるとともに、押さえ部５３に設けた掛止部５６を前部保持片５０に設けた被掛止部５４に引っ掛けるようにしているから、外壁３７の前部３７ａが外側に開くのを二重に規制することができる。
【００３５】
ところで、雌端子金具３０をキャビティ１１内に挿入して、外壁３７の前部３７ａに対してランス１３に係止した状態から雌端子金具３０を後方へ引っ張るような力が作用した場合、外壁３７の前部３７ａには、前端側を支点として後端側が捲れるような力が作用するおそれがある。その場合でも、押さえ部５３が前部保持片５０の後端側を押さえるとともに、前部保持片５０の後端側に設けた被掛止部５４に掛止部５６が引っ掛かっているから、外壁３７の前部３７ａが捲れるようにして変位するのを有効に規制することができる。これにより、ランス１３によって雌端子金具３０を安定した状態で抜け止め保持することができる。
【００３６】
しかも、切欠部４４が外壁３７を前後に分断するような範囲に形成されているから、ランス１３の係止面積を大きく確保することができ、雌端子金具３０が小型であっても抜け止め力を十分に得ることができる。このように外壁３７が切欠部４４によって前後に分断されたものでは、強度的に不利となるためにランス１３が係止される前部３７ａが捲れ易くなるものの、前部３７ａに設けた前部保持片５０が押さえ部５３により押さえられるとともに、被掛止部５４に掛止部５６が引っ掛かることで、そのような事態を回避することができる。つまり、本実施形態によれば小型化に好適な雌端子金具３０を提供することができる。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、被掛止部５４が前部保持片５０の外面において内側に凹んで形成され、掛止部５６が押さえ部５３の内面から内側に突出して形成されるものを示したが、例えば被掛止部が前部保持片の外面から外側に突出して形成され、掛止部が押さえ部の内面において外側に凹んで形成されるものも本発明に含まれる。
【００３８】
（２）上記した実施形態では、前部保持片５０を側壁３４に係止させるにあたり、押さえ部５３を前部保持片５０に当接させるとともに、掛止部５６を被掛止部５４に引っ掛けるようにしたものを示したが、掛止部や被掛止部を省略したり、或いは押さえ部を省略してもよく、そのようなものも本発明に含まれる。
（３）上記した実施形態では、側壁３４から押さえ部５３を外側へ張り出させてその内側に前部保持片５０を収容したものを示したが、本体部内に前部保持片を収容するスペースを確保できるのであれば、押さえ部を側壁と平行に形成し、その内側に内向きに屈曲させた前部保持片を収容するようにしてもよい。このようにすれば、本体部の外形を小さく保つことができ、且つキャビティの内側面に設けていた押さえ部挿通溝を省略することが可能となる。
【００３９】
（４）上記した実施形態では、前部保持片の外側に重なるように押さえ部を設けたものを示したが、例えば押さえ部を省略するとともに、前部保持片が側壁の外側に重なるように形成し、且つ前部保持片に設けた掛止部を側壁に設けた被掛止部に引っ掛けることで、外壁の前部の開き変形を規制するようにしてもよく、そのようなものも本発明に含まれる。
（５）上記した実施形態では、ランスに係止される外壁の前部について開き変形を規制するようにしたものを示したが、外壁の後部の開き変形を規制すべく、後部保持片を側壁に係止させるようにしたものも本発明に含まれる。
【００４０】
（６）上記した実施形態では、本体部が外壁の内側に天井壁を有する構造のものを示したが、天井壁を省略したものにも本発明は適用可能である。
（７）上記した実施形態では、雌端子金具について例示したが、雄端子金具についても本発明は適用可能である。
（８）上記した実施形態では、抜け止め部として雌ハウジング内に一体形成されたランスを例示したが、例えば雌ハウジングとは別体とされ、雌ハウジングに対して装着されることで、雌端子金具を抜け止め保持可能なリテーナを抜け止め部としたものも本発明に含まれる。また上記した実施形態のように片持ち状のランス以外にも両持ち状のランスを抜け止め部としたものも本発明に含まれる。
【図面の簡単な説明】
【図１】本発明の一実施形態に係る雌ハウジングの正面図
【図２】雌ハウジングの背面図
【図３】雌端子金具の正面図
【図４】雌端子金具の底面図
【図５】雌ハウジング内に雌端子金具を挿入する前の状態を示す側断面図（雌ハウジングが図１のＡ−Ａ線断面図、雌端子金具が左側面図）
【図６】雌ハウジング内に雌端子金具を挿入する前の状態を示す平断面図（雌ハウジングが図１のＢ−Ｂ線断面図、雌端子金具が平面図）
【図７】雌端子金具における図５のＣ−Ｃ線断面図
【図８】雌ハウジング内に雌端子金具を挿入した状態を示す側断面図（雌ハウジングが図１のＡ−Ａ線断面図、雌端子金具が左側面図）
【図９】雌ハウジング内に雌端子金具を挿入した状態を示す平断面図（雌ハウジングが図１のＢ−Ｂ線断面図、雌端子金具が平面図）
【図１０】雌端子金具を挿入した状態を示すキャビティの背面図
【図１１】従来例の斜視図
【符号の説明】
１０…雌ハウジング（コネクタハウジング）
１３…ランス（抜け止め部）
３０…雌端子金具（端子金具）
３１…本体部
３４…側壁（他方の壁）
３７…外壁（一方の壁）
３７ａ…前部
４４…切欠部
４４ａ…切断端面
５０…前部保持片（保持片）
５３…押さえ部
５４…被掛止部
５６…掛止部
【図１】
2004063324.tif 000003
【図２】
2004063324.tif 000004
【図３】
2004063324.tif 000005
【図４】
2004063324.tif 000006
【図５】
2004063324.tif 000007
【図６】
2004063324.tif 000008
【図７】
2004063324.tif 000009
【図８】
2004063324.tif 000010
【図９】
2004063324.tif 000011
【図１０】
2004063324.tif 000012
【図１１】
2004063324.tif 000013